(57)【要約】【課題】ＡＳＫ変調電波のデータ検波を行い且つ該電波を電力源とするチップに対して過剰な電波が供給された場合でも、ＡＳＫ変調データを無くさずに整流作用を行う該チップにおける整流回路を提供する。【解決手段】アンテナコイル及び容量素子と繋がり、複数のダイオードと容量素子を含み、ＡＳＫ変調電波のデータ検波を行い且つ該電波を電力源とするチップに含まれる整流回路であって、接地と繋がるダイオードの耐圧が他のダイオードよりも低くされ、上記の接地と繋がるダイオードのカソード側に抵抗が設けられることを特徴とする整流回路を提供する。【選択図】図１
2008067488.tif 000002
【特許請求の範囲】
【請求項１】
アンテナコイル及び容量素子と繋がり、
複数のダイオードと容量素子を含み、
ＡＳＫ変調電波のデータ検波を行い且つ該電波を電力源とするチップに含まれる整流回路において、
接地と繋がるダイオードの耐圧が他のダイオードよりも低くされ、
上記の接地と繋がるダイオードのカソード側に抵抗が設けられることを特徴とする整流回路。
【請求項２】
アンテナコイル及び容量素子と繋がり、
複数のダイオードと、容量素子を含み、
ＡＳＫ変調電波のデータ検波を行い且つ該電波を電力源とするチップに含まれる整流回路において、
アンテナコイルにアノード及びカソードが繋がるダイオードの耐圧が、他のダイオードよりも低くされ、
上記のアンテナコイルにアノード及びカソードが繋がるダイオードの、カソード側に抵抗が設けられることを特徴とする整流回路。
【請求項３】
請求項１又は請求項２に記載の整流回路を含むことを特徴とするＲＦ−ＩＤタグチップ。
【発明の詳細な説明】
【技術分野】
【０００１】
本発明は、ＲＦ−ＩＤタグチップを含む非接触ＩＣカード等で利用される整流回路に関する。
【背景技術】
【０００２】
ＲＦ−ＩＤタグチップ等の、ＡＳＫ変調電波のデータ検波を行い且つ該電波を電力源とするチップは、アンテナコイルに繋がる整流回路を含む。
【０００３】
図５は、上述のＡＳＫ変調電波のデータ検波を行い且つ該電波を電力源とするチップに含まれる従来技術の整流回路の概略回路図である。符号５２で示される整流回路は、アンテナコイル５４及び同調用容量素子５６が繋がり、５つのダイオード（Ｄｂ１、Ｄｂ２（１）、Ｄｂ２（２）、Ｄｂ３、Ｄｂ４）、及び１つの容量素子５８を含む。
【０００４】
整流回路５２において、端子６２は、アンテナコイル５４、容量素子５６、ダイオードＤｂ１のカソード、及びダイオードＤｂ３のアノードに接続する。端子６４は、アンテナコイル５４、容量素子５６、ダイオードＤｂ２（１）のカソード、及びダイオードＤｂ２（２）のアノードに接続する。端子７４は、ＧＮＤ（グラウンド）とダイオードＤｂ１のアノードとダイオードＤｂ２（１）のアノードとの結合点６０と繋がり、ダイオードＤｂ４のアノード及び容量素子５８に接続する。そして、端子７６は、ダイオードＤｂ３のカソード、ダイオードＤｂ２（２）のカソード、ダイオードＤｂ４のカソード、及び容量素子５８に接続し、整流された電圧を出力する。
【０００５】
図５に示される従来の全波整流回路では、全てのダイオードは同一耐圧のものが利用される。そうすると、耐圧以上の電波が印加されてしまった場合、図６に示すように、ＡＳＫ変調電波における変調データが無くなってしまう。
【０００６】
上記の問題点に対処するために、まず、ＡＳＫ変調された電波の供給電波強度をリーダライタが調整するという方法が取られている。しかし、そうするとリーダライタに供給電波を調整するための手段を設けなければならない。また、特許文献１に示されるように、タグ側で変調データが無くならないように負荷を大きくするという方法が取られている。しかし、そうするとこの場合も同様に、変調データを無くならせないための回路等がタグに設けられなければならず、小さいことが望ましいチップサイズを小さくできないことになる。
【特許文献１】特許第３４２５１１８号公報
【発明の開示】
【発明が解決しようとする課題】
【０００７】
本発明は、ＡＳＫ変調電波のデータ検波を行い且つ該電波を電力源とするチップに対して過剰な電波が供給された場合でも、ＡＳＫ変調データを無くさずに整流作用を行う該チップにおける整流回路を提供することを目的とする。
【課題を解決するための手段】
【０００８】
本発明は、上記の目的を達成するために為されたものである。本発明に係る請求項１に記載の整流回路は、
アンテナコイル及び容量素子と繋がり、
複数のダイオードと、容量素子を含み、
ＡＳＫ変調電波のデータ検波を行い且つ該電波を電力源とするチップに含まれる整流回路である。そのような整流回路において、
接地と繋がるダイオードの耐圧が他のダイオードよりも低くされ、
上記の接地と繋がるダイオードのカソード側に抵抗が設けられることを特徴とする。
【０００９】
本発明に係る請求項２に記載の整流回路は、
アンテナコイル及び容量素子と繋がり、
複数のダイオードと、容量素子を含み、
ＡＳＫ変調電波のデータ検波を行い且つ該電波を電力源とするチップに含まれる整流回路である。そのような整流回路において、
アンテナコイルにアノード及びカソードが繋がるダイオードの耐圧が、他のダイオードよりも低くされ、
上記のアンテナコイルにアノード及びカソードが繋がるダイオードの、カソード側に抵抗が設けられることを特徴とする。
【００１０】
本発明に係る請求項３に記載のＲＦ−ＩＤタグチップは、
請求項１又は請求項２に記載の整流回路を含むことを特徴とするＲＦ−ＩＤタグチップである。
【発明の効果】
【００１１】
本発明を利用することにより、ＡＳＫ変調電波のデータ検波を行い且つ該電波を電力源とするチップに対して過剰な電波が供給された場合でも、ＡＳＫ変調データを無くさずに整流作用が行われ得る。このことにより、ＡＳＫ変調された電波の供給電波強度をリーダライタ側で調整する機構をリーダライタに設ける必要がなくなる。更に、変調データを無くならせないための回路等をタグに設ける必要が無く、タグを小型化できる。
【発明を実施するための最良の形態】
【００１２】
以下、図面を参照して本発明に係る好適な実施形態を説明する。
【００１３】
［第１の実施形態］
図１は、本発明の第１の実施形態に係るＡＳＫ変調電波のデータ検波を行い且つ該電波を電力源とするチップに含まれる整流回路の概略回路図である。符号２で示される整流回路は、アンテナコイル４及び同調用容量素子６が繋がり、５つのダイオード（Ｄａ１、Ｄａ２、Ｄｂ１、Ｄｂ２、Ｄｂ３）、及び１つの容量素子８を含む。
【００１４】
整流回路２において、端子１２は、アンテナコイル４、容量素子６、ダイオードＤａ１のカソード、及びダイオードＤｂ１のアノードに接続する。端子１４は、アンテナコイル４、容量素子６、ダイオードＤａ２のカソード、及びダイオードＤｂ２のアノードに接続する。端子２４は、ＧＮＤ（接地）とダイオードＤａ１のアノードとダイオードＤａ２のアノードとの結合点１０と繋がり、ダイオードＤｂ３のアノード及び容量素子８に接続する。そして、端子２６は、ダイオードＤｂ１のカソード、ダイオードＤｂ２のカソード、ダイオードＤｂ３のカソード、及び容量素子８に接続し、整流された電圧を出力する。
【００１５】
更に、本発明の第１の実施形態に係る整流回路２では、ダイオードＤａ１とダイオードＤａ２のＧＮＤへの逆方向耐圧が、ダイオードＤｂ１とダイオードＤｂ２よりも低くされ、しかも、ダイオードＤａ１とアンテナコイル４の間、及び、ダイオードＤａ２とアンテナコイル４の間の夫々に、適切な抵抗３０と抵抗３２が設けられる。
【００１６】
上述のように、ダイオードＤａ１とダイオードＤａ２のＧＮＤへの逆方向耐圧を低くし、適切な抵抗３０と抵抗３２を設けることにより、ダイオードＤａ１とダイオードＤａ２との耐圧以上の電圧がダイオードＤａ１とダイオードＤａ２に印加されても、ＡＳＫ変調による電流の変動が抵抗３０と抵抗３２に電圧変動として現れる。そうすると、ダイオードＤｂ１とダイオードＤｂ２のカソードに繋がる出力端子に電圧の変化として現れ、図２に示すようにＡＳＫ変調データが残る。このことで、データ検波が可能になる。
【００１７】
［第２の実施形態］
図３は、本発明の第２の実施形態に係るＡＳＫ変調電波のデータ検波を行い且つ該電波を電力源とするチップに含まれる整流回路の概略回路図である。符号２’で示される整流回路は、アンテナコイル４及び同調用容量素子６が繋がり、３つのダイオード（Ｄａ１、Ｄｂ１、Ｄｂ２）、及び１つの容量素子８を含む。
【００１８】
整流回路２’において、端子１２は、アンテナコイル４、容量素子６、ダイオードＤａ１のカソード、及びダイオードＤｂ１のアノードに接続する。端子１４は、アンテナコイル４、容量素子６、ダイオードＤａ１のアノード、ダイオードＤｂ２のアノード、及び容量素子８に接続する。そして、端子３８は、ダイオードＤｂ１のカソード、ダイオードＤｂ２のカソード、及び容量素子８に接続し、整流された電圧を出力する。
【００１９】
更に、本発明の第２の実施形態に係る整流回路２’では、ダイオードＤａ１のＧＮＤへの逆方向耐圧が、ダイオードＤｂ１とダイオードＤｂ２よりも低くされ、しかも、ダイオードＤａ１とアンテナコイル４の間に、適切な抵抗３４が設けられる。
【００２０】
上述のように、ダイオードＤａ１のＧＮＤへの逆方向耐圧を低くし、適切な抵抗３４を設けることにより、ダイオードＤａ１の耐圧以上の電圧がダイオードＤａ１に印加されても、ＡＳＫ変調による電流の変動が抵抗３４に電圧変動として現れる。そうすると、ダイオードＤｂ１とダイオードＤｂ２のカソードに繋がる出力端子に電圧の変化として現れ、図４に示すようにＡＳＫ変調データが残る。このことで、データ検波が可能になる。なお、第２の実施形態では、第１の実施形態に比べてダイオードの個数を減らしたことにより図４に示す波数も半減している。
【図面の簡単な説明】
【００２１】
【図１】本発明の第１の実施形態に係るＡＳＫ変調電波のデータ検波を行い且つ該電波を電力源とするチップに含まれる整流回路の概略回路図である。
【図２】本発明の第１の実施形態に係る整流回路を用いた場合の出力電圧波形図である。
【図３】本発明の第２の実施形態に係るＡＳＫ変調電波のデータ検波を行い且つ該電波を電力源とするチップに含まれる整流回路の概略回路図である。
【図４】本発明の第２の実施形態に係る整流回路を用いた場合の出力電圧波形図である。
【図５】ＡＳＫ変調電波のデータ検波を行い且つ該電波を電力源とするチップに含まれる従来技術の整流回路の概略回路図である。
【図６】図５に示す従来技術の整流回路を用いた場合の出力電圧波形図である。
【符号の説明】
【００２２】
２・・・整流回路、４・・・アンテナコイル、６・・・容量素子、８・・・容量素子、Ｄｂ１、Ｄｂ２（１）、Ｄｂ２（２）、Ｄｂ３、Ｄｂ４、Ｄａ１、Ｄａ２・・・ダイオード。
【図１】
2008067488.tif 000003
【図２】
2008067488.tif 000004
【図３】
2008067488.tif 000005
【図４】
2008067488.tif 000006
【図５】
2008067488.tif 000007
【図６】
2008067488.tif 000008